(57)【要約】      （修正有）【課題】柱脚の設計は、構造設計者によりまちまちで複雑であるから、標準的な設計図が考案されていれば、建設設計の労力を大幅に減らすことができる設定方法を提供する。【解決手段】大きさと太さが同じ柱には、同じ柱脚（ベースプレートとアンカーボルトの組み合わせ）と同じ基礎（深さ・断面）を使う事を前提とし、柱脚部耐力と回転剛性が建築基準法を順守する数値になるような組み合わせを研究し柱脚の設計図を考案し、すなわち、１〜１８種類のパターンが有り、各パターンの柱部材２の一辺の長さと厚さに対応して、ベースプレート１の一辺の長さと厚さ、アンカーボルト４の直径、本数及び長さと基礎部分の断面の一辺の長さと基礎の深さとが設定されている露出型柱脚部の簡易設定方法である。【選択図】図１
2015158094.tif 000002
【特許請求の範囲】
【請求項１】
耐力の明確なベースプレート及びアンカーボルトを使用する露出型柱脚部の設定方法であって、
柱部材の各基準寸法毎に、ベースプレート及びアンカーボルトの各寸法や本数を設定してあることを特徴とする露出型柱脚部の簡易設定方法。
【請求項２】
１〜１８種類のパターンが有り、各パターンの柱部材の一辺の長さと厚さに対応して、ベースプレートの一辺の長さと厚さ、アンカーボルトの直径、本数及び長さと基礎部分の断面の一辺の長さと基礎の深さとが設定されていることを特徴とする請求項１記載の露出型柱脚部の簡易設定方法。
【請求項３】
各アンカーボルトの位置決めのために予めテンプレートの基準穴に各アンカーボルトを挿入した状態でコンクリートの打設と養生を行ない、前記テンプレートは除去した状態でレベルモルタルを打設し養生してから柱部材を設置することを特徴とする請求項１又は請求項２に記載の露出型柱脚部の簡易設定方法。
【発明の詳細な説明】
【技術分野】
【０００１】
本発明は、建物を建てる際に露出型の柱脚部を採用するに当たって、複雑な計算を省くとともに安価に実現できる方法を提供する。
【背景技術】
【０００２】
柱脚部には、根巻形式と称して鉄骨柱の根元を巻いて補強する形式や、埋込形式と称して鉄骨柱の根元を地中梁や基礎コンクリートに埋込んで補強する形式があるが、コスト高となる。このような補強手段を設けないで露出する形式では、特許文献１のようなものがある。
【先行技術文献】
【特許文献】
【０００３】
【特許文献１】特開2004−353269号
【発明の概要】
【発明が解決しようとする課題】
【０００４】
地震などの際に最も大きな負荷の作用する部位は柱脚部であるから、その強度は重要であり、そこで、ベースプレートの寸法やアンカーボルトの寸法、本数、基礎部分の寸法などにより、建物の受注の都度、複雑な計算をしなければならず、大変な労力を要した。
本発明の技術的課題は、このような問題に着目し、基準の明確なベースプレートやアンカーボルトを使用することを前提として、予め各柱部材ごとにベースプレートやアンカーボルト、基礎部分を算出しておくことで、建築基準法を順守可能とすることを特徴とする。
【課題を解決するための手段】
【０００５】
請求項１は、耐力の基準が明確なベースプレート及びアンカーボルトを使用する露出型柱脚部の設定方法であって、
柱部材の各基準寸法毎に、ベースプレート及びアンカーボルトの各寸法や本数を設定してあることを特徴とする露出型柱脚部の簡易設定方法である。
【０００６】
請求項２は、１〜１８種類のパターンが有り、各パターンの柱部材の一辺の長さと厚さに対応して、ベースプレートの一辺の長さと厚さ、アンカーボルトの直径、本数及び長さと基礎部分の断面の一辺の長さと基礎の深さとが設定されていることを特徴とする請求項１記載の露出型柱脚部の簡易設定方法である。
【０００７】
請求項３は、各アンカーボルトの位置決めのために予めテンプレートの基準穴に各アンカーボルトを挿入した状態でコンクリートの打設と養生を行ない、前記テンプレートは除去した状態でレベルモルタルを打設し養生してから柱部材を設置することを特徴とする請求項１又は請求項２に記載の露出型柱脚部の簡易設定方法である。
【発明の効果】
【０００８】
請求項１によると、耐力の明確なベースプレート及びアンカーボルトを使用する露出型柱脚部の設定方法であって、
柱部材の各基準寸法毎に、ベースプレート及びアンカーボルトの各寸法や本数を設定してあるので、柱部材の基準寸法さえ決まれば、ベースプレートやアンカーボルトの寸法、アンカーボルトの本数が決まるので、建築基準法を順守した建物を短期にかつ安価に立てることができる。
【０００９】
請求項２によると、１〜１８種類のパターンが有り、各パターンの柱部材の一辺の長さと厚さに対応して、ベースプレートの種類と一辺の長さと厚さ、アンカーボルトの種類と直径、本数及び長さと基礎部分の断面の一辺の長さと基礎の深さとが設定されているので、柱部材の一辺の長さと厚さからパターンを選定すれば、容易に素早くそのパターンのベースプレートの一辺の長さと厚さ、アンカーボルトの直径、本数及び長さと基礎部分の断面の一辺の長さと基礎の深さとを選定し決定できる。
【００１０】
請求項３によると、各アンカーボルトの位置決めのために予めテンプレートの基準穴に各アンカーボルトを挿入した状態でコンクリートの打設と養生を行ない、前記テンプレートは除去した状態でレベルモルタルを打設し養生してから柱部材を設置するので、各アンカーボルトの上端を容易にベースプレートの対応する穴に挿入することができる。
【図面の簡単な説明】
【００１１】
【図１】本発明による露出型柱脚部の簡易設定方法を示す断面図である。
【図２】図１の基礎コンクリートを打設する前の状態を示す斜視図である。
【図３】本発明により露出型柱脚部の簡易設定方法を実施すべく決定した算出値の表である。
【図４】〜
【図７】前記決定値をベースプレートの平面図、柱脚部の側面図、基礎部の水平断面図と共に示した図表である。（回転剛性を含む資料）
【図８】〜
【図２５】No.1〜No.18 のパターン毎に対応する数値を入れて計算し、さらにグラフ化した図である。
【発明を実施するための形態】
【００１２】
次に本発明による露出型柱脚部の簡易設定方法が実際上どのように具体化されるか実施形態で説明する。図１は、本発明による露出型柱脚部の簡易設定方法を示す断面図で、ベースプレート１は柱部材２に接合部３で溶接されている。４はアンカーボルトで、基礎コンクリート５中に埋設されている。６はレベルモルタルで、基礎コンクリート５とベースプレート１との間に設けてある。ベースプレート１は基準が明確な部材（ＳＮ490 Ｂ・Ｃ）である。また、アンカーボルト４も、基準が明確な部材（ＭＢＬＴ-0105 ）である。
【００１３】
図２は、図１の基礎コンクリート５を打設する前の状態を示す斜視図であり、アンカーボルト４が、上部テンプレート７と下部アンカーフレーム８とで、上下端寄りが、ベースプレート１の固定孔の位置に合わせて位置決めされている。この状態で基礎コンクリート５が打設される。
この基礎コンクリート５の養生が終わると、上部テンプレート７は除去する。その上からレベルモルタル６を打設する。
【００１４】
図３は本発明により露出型柱脚部の簡易設定方法を実施すべく決定した算出値の表で、図４〜図７は前記決定値をベースプレートの平面図、柱脚部の側面図、基礎部の水平断面図と共に示した図表である。（回転剛性を含む資料）
本発明は、１〜１８のパターンから成るが、その内のNo.1のパターンについて、図３と図４〜図７を用いて詳細を説明する。
No.1のパターンは、柱の一辺の長さが200 ×200 であり、板厚は６〜12の柱部材２を用いる場合であり、ベースプレート１の一辺の長さは360mm 、厚さは32mmである。そして、アンカーボルト４の直径は24mm、本数４本、長さは54０mmである。また、基礎部分の断面の一辺の長は52０mm、基礎の深さは61０mmである。
他のパターンNo.2〜No.18 も同様である。
ただし、図３の各部の数値の±５％の範囲で許容されるものとする。
【００１５】
図８〜図１６は、No.1〜No.18 のパターン毎に対応する数値を入れて計算し、さらにグラフ化した図で、太い線で表現した柱脚部耐力のグラフの範囲が建築基準法を順守している。
【産業上の利用可能性】
【００１６】
以上のように、耐力の明確なベースプレート（ＳＮ490 Ｂ・Ｃ）及びアンカーボルト（ＭＢＬＴ-0105 ）を使用する際に、柱部材の各基準寸法毎に、ベースプレート及びアンカーボルトの各寸法や本数を設定してあるので、柱部材の基準寸法に応じてベースプレート及びアンカーボルトの各寸法や本数を選定するだけで足りるので、複雑な構造計算が不要となり、しかも短期にかつ安価に鉄筋コンクリート造の建物を提供できる。
【符号の説明】
【００１７】
１  ベースプレート
２  柱部材
３  接合部
４  アンカーボルト
５  基礎コンクリート
６  レベルモルタル
７  上部テンプレート
８  下部アンカーフレーム
９  捨てコンの上面
【図１】
2015158094.tif 000003
【図２】
2015158094.tif 000004
【図３】
2015158094.tif 000005
【図４】
2015158094.tif 000006
【図５】
2015158094.tif 000007
【図６】
2015158094.tif 000008
【図７】
2015158094.tif 000009
【図８】
2015158094.tif 000010
【図９】
2015158094.tif 000011
【図１０】
2015158094.tif 000012
【図１１】
2015158094.tif 000013
【図１２】
2015158094.tif 000014
【図１３】
2015158094.tif 000015
【図１４】
2015158094.tif 000016
【図１５】
2015158094.tif 000017
【図１６】
2015158094.tif 000018
【図１７】
2015158094.tif 000019
【図１８】
2015158094.tif 000020
【図１９】
2015158094.tif 000021
【図２０】
2015158094.tif 000022
【図２１】
2015158094.tif 000023
【図２２】
2015158094.tif 000024
【図２３】
2015158094.tif 000025
【図２４】
2015158094.tif 000026
【図２５】
2015158094.tif 000027